(57)【特許請求の範囲】
【請求項１】
傾斜地である一定地域の地盤下を、連通管を有する地下堰で複数の小区画に分割し、分割された小区画内の地中に空隙形成資材を充填し、地下堰に囲まれた前記小区画のうち、少なくとも一つの小区画に連通させて地下水槽またはマンホールを設置し、前記連通管に、相互に隣接する小区画の水位の差を一定に保つ機能を具備する開閉制御装置を設けたことを特徴とする地下貯水施設。
【請求項２】
傾斜地である一定地域の地盤下を、第１の連通管を有する地下堰で複数の小区画に分割し、分割された小区画内の地中に空隙形成資材を充填し、
地下堰に囲まれた前記小区画のうち、少なくとも一つの小区画に第２の連通管により連通させて地下水槽またはマンホールを設置し、
前記第２の連通管に、隣接する小区画との水位の差を一定に保つ開閉制御装置を設けたことを特徴とする地下貯水施設。
【請求項３】
前記隣接する小区画との水位の差を一定に保つ開閉制御装置を、前記連通管の一端に取り付けたフレキシブルチューブと、そのフレキシブルチューブの先端付近に取付けられたフロートとで構成し、前記フレキシブルチューブの先端開口部を前記フロートより上方において開口させたことを特徴とする請求項２記載の地下貯水施設。
【請求項４】
前記地盤が地下構造物の上部や建築物の屋上に形成される人工地盤であることを特徴とする請求項１から３のいずれかに記載の地下貯水槽。
【発明の詳細な説明】
【０００１】
【発明の属する技術分野】
本発明は、地盤下に貯留した水を、緑地への散水、災害発生時の防火用水、飲料水等として有効に利用することができる地下貯水施設に関するものである。
【０００２】
【従来の技術】
従来、この種の地下貯水施設としては、地中に空隙を形成し、その空隙に貯水することが知られている。例えば、図７に示すように、水容器４１の内部に、隙間に砕石を充填しながら空間形成部材として鋳鉄管４２を並べて積み重ね、降水量の多いときに受水溝から流入管４３を経て水を導き、取水井戸４４からポンプ４５で汲み上げるようにした構成が特開昭６２−１１１０３１号公報等にて開示されている。また、図示しないが、空間形成部材としてビールビンや酒ビン等を収納するケースやコンテナ等の簡単に入手可能な合成樹脂製のケースを利用して、地下に空間が得れるようにした例が特開平９−１３７４７８号公報等にて示されている。
【０００３】
一方、図８に示すように、内部に水を貯留できる中空ブロック４６を複数個並べて地中に埋設し、各ブロック４６を連通管４７によって順次接続すると共に、道路の片側又は両側に位置する側溝４８の貯水枡と任意の中空ブロック４６を流入管４９で接続し、ポンプ５０により任意の中空ブロック４６から全体の貯留水を取水することが知られている（特開平１０−１９８１号公報）。
【０００４】
【発明が解決しようとする課題】
しかしながら、地中に形成した空隙に貯水する従来の地下貯水施設（特開昭６２−１１１０３１及び特開平９−１３７４７８）は、単発的に形成されるものであるため、防災上、有効に利用することができなかった。
【０００５】
また、内部に水を貯留できる中空ブロックの複数個を地中に埋設し、これらを連通管で接続して任意の中空ブロックから全体の貯留水を取水する地下貯水施設（特開平１０−１９８１号公報）の場合、集水用の側溝を必要とする欠点があった。また、傾斜地において地面から一定の深さに設けると、貯留水は低所のブロックに集中し、高所の中空ブロックからは取水できないのみならず、低所のブロック内での水圧が高まり、漏水して貯留の効率を低下させる恐れがあった。
【０００６】
そこで、本発明の目的は、上記課題を解決し、従来の側溝などの集水施設を設けることなしに集水でき、且つ、大災害の時に、大量の水を供給することができる地下貯水施設を提供することにある。
【０００７】
また、本発明の他の目的は、傾斜地にも適用することができる地下貯水施設を提供することにある。
【０００８】
【課題を解決するための手段】
上記目的を達成するため、本発明は、次のように構成したものである。
【０００９】
【課題を解決するための手段】
（１）請求項１に記載の地下貯水施設は、傾斜地である一定地域の地盤下を、連通管を有する地下堰で複数の小区画に分割し、分割された小区画内の地中に空隙形成資材を充填し、地下堰に囲まれた前記小区画のうち、少なくとも一つの小区画に連通させて地下水槽またはマンホールを設置し、前記連通管に、相互に隣接する小区画の水位の差を一定に保つ機能を具備する開閉制御装置を設けたものである。
【００１１】
即ち、空隙形成資材は、例えば貯留・浸透式中空ブロックから成り、これを地下の小区画内に面的に敷き詰め且つ多層に積層することにより、小区画単位に貯水槽が形成される。
【００１２】
これらの小区画を一定領域いっぱいに集合させ、それらの各小区画の互いに隣接するもの同士が連通管を介して連通させることにより、小区画の集合全体が盛土を浸透してくる雨水等の大きな貯水槽となると共に、上記一定領域の一端から他端までが、水の通路として確保される。
【００１３】
従って、これらの小区画のうち、少なくとも一つの小区画に連通させて地下水槽またはマンホールを設置することにより、従来の側溝などの集水施設を設けることなしに集水でき、大災害の時に、この地下水槽またはマンホールから貯留水を大量に取水することができる。
【００１４】
本発明においては、傾斜地において、小区画単位の貯水槽を集合させて一定領域いっぱいの大きな貯水槽とするために、前記連通管を開閉制御可能で、相互に隣接する小区画の水面を一定に保つ機能を具備する開閉制御装置を設けている。
【００１５】
第１の連通管に対する開閉制御装置を設けたので、傾斜した施設の場合にも有効である。
【００１６】
（２）請求項２に記載の地下貯水施設は、傾斜地である一定地域の地盤下を、第１の連通管を有する地下堰で複数の小区画に分割し、分割された小区画内の地中に空隙形成資材を充填し、地下堰に囲まれた前記小区画のうち、少なくとも一つの小区画に第２の連通管により連通させて地下水槽またはマンホールを設置し、前記第２の連通管に、隣接する小区画との水位の差を一定に保つ開閉制御装置を設けた構成のものである。
【００１８】
地下貯水施設を設けようとする一定地域が傾斜地である場合を例にしてより具体的に説明すると、空隙形成資材は、例えば貯留・浸透式中空ブロックから成り、これを地下の小区画内に面的に敷き詰め且つ多層に積層することにより、小区画単位に貯水槽が形成される。
【００１９】
これらの小区画を傾斜した一定領域いっぱいに集合させ、それらの各小区画の互いに隣接する同じ高さ（同じ行）にあるもの同士を第１の連通管を介して連通させることにより、横長の小区画群から成るより大きな貯水槽が、等高線的に複数行形成される。この各行を構成する小区画のうちの少なくとも１つ、好ましくは行端の小区画を上位の小区画として、その下位に地下水槽またはマンホールを設置し、第２の連通管により、この上位の小区画と下位の地下水槽またはマンホールとを連通させる。更に、必要に応じて、この地下水槽またはマンホールを同じ高さにある行の一端の小区画と連通させ、その行の他端の小区画の下位に別の地下水槽またはマンホールを設けて第２の連通管により連通させる。これを必要なだけ繰り返す。
【００２０】
これにより、上位と下位の複数行にわたる小区画の集合全体が、より大きな貯水槽して形成されると共に、上記一定領域の一端から他端までが、水の通路として確保される。
【００２１】
従って、従来の側溝を設けることなしに、最下端の地下水槽またはマンホールから貯留水を取水することができる。従って、従来の側溝などの集水施設を設ける必要なしに集水ができ、大災害の時に、この地下水槽またはマンホールから大量の貯留水を取水することができる。
【００２２】
また、本発明は、前記第２の連通管に開閉制御装置を設けた構成であるので、傾斜地においても分散貯留することができる。従って、貯留水を低所のみならず高所の中空ブロックから取水することもできる。
【００２３】
また、この開閉制御装置は、隣接する小区画との水位の差を一定に保つ機能を有するので、傾斜地においても均等に貯えることができる。
【００２４】
また、請求項３の発明は、前記隣接する小区画との水位の差を一定に保つ開閉制御装置を、前記第２の連通管の一端に取り付けたフレキシブルチューブと、そのフレキシブルチューブの先端付近に取付けられたフロートとで構成し、前記フレキシブルチューブの先端開口部を前記フロートより上方において開口させた構成であるので、水位差を一定にする制御を無動力で行うことができる。
【００２５】
さらに、請求項４の発明のように、前記地盤は、地下構造物の上部や建築物の屋上に形成される人工地盤とすることができる。この場合、地下貯水槽は地震に対する制振装置の液体ダンパーとしても機能する。
【００２６】
【発明の実施の形態】
以下、本発明を図示の実施形態に基づいて説明する。
【００２７】
（実施形態１）
図１に本発明の第１の実施形態を示す。この地下貯水施設は、平らな一定地域１の地盤下を、第１の連通管１１を有する地下堰１０で複数の小区画２に分割し、分割された小区画２内の地中に空隙形成資材としての貯留・浸透式中空ブロック１２を充填し、地下堰１０に囲まれた前記小区画２のうち、少なくとも一つの小区画に第２の連通管１３により連通させて地下水槽またはマンホール３を設置したものである。取水はマンホール３からポンプ１８で汲み上げることで行う。なお、ここで上記地盤とは人工地盤をも含むものとする。
【００２８】
上記第１の連通管１１により、隣接する小区画２が相互に連通されているため、サイホンの原理により、その相互に隣接する小区画２同士の水面が一定に保たれる。従って、従来の側溝などの集水施設を設ける必要なしに集水ができ、大災害の時に、大量の水を供給できる。
【００２９】
また上記第１の連通管１１および第２の連通管１３には開閉制御装置が設けられており、傾斜地においても全ての少区画２に水を均等に貯えることができる。この開閉制御装置は本来の開閉制御が可能であると共に、隣接する小区画２との水位の差を一定に保つ機能を有する。
【００３０】
この隣接する小区画との水位の差を一定に保つ開閉制御装置の具体例を図２に示す。同図に示す開閉制御装置１７は、第２の連通管１３の一端に取り付けたフレキシブルチューブ１５と、そのフレキシブルチューブ１５の先端付近に取付けられたフロート１６とからなり、フレキシブルチューブ１５の先端開口部１５ａはフロート１６より上方において開口させた構成となっていて、隣接する小区画２との相対的な水位差δＨを一定に保つ。この水位差δＨが存在することから、傾斜地においても均等に貯えることができる。また、フロート付きフレキシブルチューブによるため、無動力でレベル制御ができる。
【００３１】
（実施形態２）
図３に示すように、公園等の一定地域１の地盤下を、地下堰１０で複数の小区画２に分割する。これら分割された小区画２内には、図１に示したのと同様に、空隙形成資材として多数の貯留・浸透式中空ブロック１２を平面的且つ多段に配設して充填することにより、地中の各小区画２内にそれぞれ空隙（貯留空間）を形成し、各小区画２がそれぞれ個別の貯水槽として機能するように構成する。
【００３２】
そして、各小区画２の地下堰１０には、下部に連通管１１を設けて、同じ高さにある隣接の小区画２と連通させ、より大きな貯水槽とする。従って、水平方向の各小区画２は連通管１１により連通されて、その水平方向の水位は均一化する。
【００３３】
また、図１に示すのと同様に、地下堰１０に囲まれた前記小区画２内のうち、少なくとも一つの小区画２と連通管１３にて連通させて、マンホール３を設置する。このマンホール３は、より正確には、上記小区画２のうち、少なくとも一つの小区画２に第１の連通管１１で連通させ、且つ他の一つの小区画に第２の連通管１３で連通させて設置する。なお、マンホール３に代えて地下水槽を設けてもよい。
【００３４】
この実施形態では、図３に示すように、同じ高さの小区画２から成る多数の行ａ、ｂ、ｃ、ｄ、ｅ、ｆ、ｇ…の小区画群の一方の端部と他方の端部のうち、偶数番目の行ｂ、ｄ、ｆ、…の小区画群の一方の端部に、それぞれマンホール３が設けられていると共に、更に１番目の行ａを除く奇数番目の行ｃ、ｅ、ｇ…の小区画群の他方の端部にも、それぞれマンホール３が設けられている。
【００３５】
即ち、一定地域１の一側（図３の左側）においては、奇数番目の行ａ、ｃ、ｅ、ｇ…の小区画群と、それらの次の行ｂ、ｄ、ｆ、…の小区画群の一側に設けたマンホール３とが、連通管１３でそれぞれ連通されている。また、一定地域１の他側（図３の右側）においては、偶数番目の行ｂ、ｄ、ｆ、…の小区画群とそれらの次の行ｃ、ｅ、ｇ…の小区画群の他側に設けたマンホール３とが、連通管１３でそれぞれ連通されている。これにより、各小区画２の貯水槽は、ジグザグ状に折り返された形で連通されている。
【００３６】
図２に示すように、各マンホール３において、連通管１３の下端は、貯水槽の水を全部排水する場合に開かれる開閉バルブ１４が設けられており、該開閉バルブ１４は通常閉じられている。そして、この開閉バルブ１４より上流側において、連通管１３の下端には、連通管１３を開閉する開閉制御装置１７を構成すべく、フレキシブルチューブ１５が取り付けられている。また、そのフレキシブルチューブ１５の先端付近にはフロート１６が取付けられており、該フロート１６の作用よって、フレキシブルチューブ１５の先端開口部１５ａが、常に水面より所定高さδＨだけ上方に位置されて開口されている。
【００３７】
この連通管１３を開閉する開閉制御装置１７は、隣接する小区画２の水位との差を一定値δＨに保つ装置として機能する。即ち、サイホンの原理により、下位の水位が所定の水位差δＨ以上に下がった時には、上位の水槽より水が流下し、上下の水位差が一定値δＨとなったときに上記流下が止まるように作用する。
【００３８】
連通管の開閉制御装置１７としては、上記のように無電源で作動して隣接小区画との水位差を一定に持つフロートタイプのサイホン式装置の他、マンホール３内に水位センサーを設置し、この水位センサーにより検知される水位により連通管１３に設けた電磁バルブを開閉するように構成した開閉制御装置を用いることもできる。
【００３９】
ただし、上記フロートタイプのサイホン式の開閉制御装置１７によれば、省資源でイニシャルコスト，ランニングコストとの両面で安価であるのに対し、水位センサーと電磁バルブとを有して電力を使用する開閉制御装置１７を構築した場合には、イニシャルコスト，ランニングコストともに高価となる。
【００４０】
上記構成によれば、側溝などの集水施設を要することなく、公園等の地下に設けた最下行の小区画より集水することができ、且つ、地震などによる大災害の時に、大量の飲料水を供給することができる。
【００４１】
また、連通管１３に開閉制御装置１７を付加することにより、傾斜地においても分散貯留することができる。この場合、上記図２のサイホン式の開閉制御装置１７を高低差のある水槽ごとに設置することで、段々畑のような水槽を廉価に提供可能となる。
【００４２】
更に、各行の相互に隣接する小区画２同士の水位差を一定にすることにより、傾斜地においても各行の水槽に均等に水を貯えることができる。
【００４３】
また、水位差を一定にする装置が、フロート付きフレキシブルチューブ１５により構成されているので、水位の制御を無動力で行うことができる。
【００４４】
（実施形態３）
図４および図５に、上記地下貯水施設を公園等の傾斜地に適用した実施形態を示す。
【００４５】
傾斜面２０の地盤下には、図４に示すように、地下堰１０により地下の一定地域が複数の小区画２に分割され、それぞれに貯水槽４が形成されている。これらの小区画２は、図３で説明したように、平面で見て行列に配列され、且つ、その両側にジグザグ状にマンホール３が設けられた形態となっている。しかし、傾斜地に適用されているため、これら少区画２から成る貯水槽４は、図４のごとく段々畑状にずれて設けられている点で、上記の実施形態と大きく相異する。
【００４６】
小区画２は、図５に示すように、空隙形成資材として商品名「シンシンブロック」と称される貯留・浸透式中空ブロック１２を平面的且つ積層させて小区画２内に充填することにより、盛土２．０ｍ厚の内、植栽する植物に応じた適性盛土厚以外の厚みを浸透型の貯水槽４として形成している。５は貯水槽４の底面及び地下堰１０の表面に敷設した防水シート、６は貯水槽４の上側に設けた透水シート、７は貯水、８は空気層、９は砂質系床土を示す。
【００４７】
適性盛土厚として、例えば地被植物２１は２０ｃｍ以上、高木２２は１００ｃｍ以上とする。貯水槽４の厚さ（深さ）は、１ユニットの高さを基準にその整数倍とする。
【００４８】
雨水・散水は、貯水槽４ごとに埋設した透水材である透水シート６を透過させて地下貯水槽４に貯留するようにする。このため、盛土の砂質系床土９の透水性は１０−２ｃｍ／ｓｅｃ程度の良好なものにし、雨後の直後でも使用可能なものとする。また、雨水・散水の地表面排水は、貯水槽４の隔壁つまり地下堰１０ごとに、上流側に火山礫又はヘチマロン等で地中側溝２３を設けて集水し、所々で地下貯水槽４まで通水管（火山礫等でも可）で水を導くようにする。なお図５では、芝の踏圧、すり切防止用の天然繊維マット２４を設けている。
【００４９】
（実施形態４）
図６に、上記の地下貯水施設のある傾斜地域に、その地上に設けたスプリンクラー２５により給水し、地中に浸透する水と地表水とを回収するようにしたリサイクルシステム例を示す。
【００５０】
スプリンクラー２５による散水及び雨水のうち、地中に浸透する水は図５の透水シート６を透過して各貯水槽４に貯留され、また、地表水は地中側溝２３を通して各貯水槽４に貯留される。各貯水槽４の水は、連通管１１を経て同一高さレベルにある小区画２の貯水槽４内に貯留され、連通管１３を経てマンホール３へ受け渡され、次いで、マンホール３から次の高さレベルにある小区画２の貯水槽４へと、順次受け渡されて行く。そして、最終的には、最下位の小区画２に属する貯水槽４において、連通管１３より取り出され、オーバーフローした水と共に、管路２６を通して流量調整用の地下タンク２７に回収される。なお地下タンク２７内の水は、ＤＯセンサにより溶存酸素量がチェックされる。また、地下タンク２７からオーバーフローした水は廃棄される。
【００５１】
地下タンク２７に回収された水は、ポンプ２８及びフィルタ２９を通して配管３０に導かれ、バルブ３１及び液肥混合装置３２を経た後、管路３３を通してスプリンクラー２５に供給される。この供給される水の酸アルカリ度はＰＨセンサにより、また液肥の濃度はＥＣセンサによりチェックされる。
【００５２】
この繰り返しにより、公園等の一定地域に給水され、同時に施肥も施され、その植栽管理がなされる。このスプリンクラーによる給水は、火災時の延焼防止にも有効である。
【００５３】
一方、配管３０からの水は、必要に応じてバルブ３４を経て浄水装置３５に導かれ、災害時の飲料水として利用される。
【００５４】
更に、配管３０からの水は、必要に応じてバルブ３６を経て簡易トイレや蒸散用舗装への給水に利用される。この蒸散用舗装は、図６の下方に示すように、路面舗装を透水性もしくは揚水性の舗装３７とし、下部に毛管上昇力のある不織布３８を敷設し、特定間隔の舗装湿潤用水貯水槽３９に水を貯める構成としたもので（（株）大林組、湿潤性舗装システム、特許出願中（特願平９−２６０６２３号））、これにより蒸発冷却が可能な舗装とすることができる。これはヒートアイランド対策にも有効であり、夏の照り返しと輻射熱の防止に役立つ。
【００５５】
上記リサイクルシステムのポンプ２８の運転制御やバルブ３１、３４、３６の開閉制御等は、センサーとコンピュータとにより、総合的にモニターコントロールされる。災害時には、図示してない非常発電装置により電源が確保され、防災拠点としても使用される。
【００５６】
（実施形態５）
なお、上記リサイクルシステムは地下公園空間の植栽にも適用することができ、次のような利点が得られる。即ち、地下公園の維持管理は、上記リサイクルシステムの活用により、給水、追肥の手間は省力化され、芝の刈り込みと樹木の剪定、落葉処理等に限定されるため、３０〜４０％の経費節減が可能となる。一方、地下公園の緑化は、コンテナ植栽により自由自在のデザインが可能で植栽時期を選ばず、且つ専門技術者への負担も軽減できる。また、不具合な時の入れ替え、変更等も自由自在となる。
【００５７】
（実施形態６）
本発明の地下貯水施設は、地震に対する制振装置の液体ダンパーとしても使用することができる。この場合は、地下貯水施設は、地下構造物の上部や建築物の屋上に設ける人工地盤に適用される。
【００５８】
従来、制振装置については、重粘度の液体活用、重錘の水平移動（重心の移動）、ダンパー（油圧、空気圧などの圧力活用）、鋼棒ダンパー（曲げ剛性の活用）、鉛ダンパー（塑性変形抵抗の活用）などがある。
【００５９】
しかし、各々、特殊装置に類するものが多く、（ｉ）  機能が限定されている、（ｉｉ）重装備になりやすい、（ｉｉｉ）  １度使う（作動する）とリセットに手間と費用がかかる、（ｉｖ）メンテナンスが掛かる、といった問題点がある。
【００６０】
そこで、地下貯水タンクを、（ｉ）  何槽かに分けて築造する、（ｉｉ）各々を地下で連通管でつなぐ、（ｉｉｉ）  地上からの給水孔の開口も空気の流出・入抵抗を考慮して設置する、（ｉｖ）地上に降った雨水も浸透するように透水とともに通気も可能とする、（ｖ）  地下に貯留した水は、緑地への散水、災害発生時の防火用水、飲料水としても使う、といった点を考慮することにより、経済的な液体ダンパーを構築することができる。
【００６１】
かかる構成の下では、（ｉ）  多機能（制振、潅漑水、防火用水、飲料水、など）である、（ｉｉ）雨水の有効利用（環境配慮）が図れる、（ｉｉｉ）  各々の連通管の径と給水孔、通気孔、などを制御することで、液体ダンパーの役目をする、（ｉｖ）メンテナンスは殆ど必要ない、（ｖ）  作動後もリセット作業を全く必要としない、といった利点が得られる。
【００６２】
【発明の効果】
以上説明したように本発明によれば、次のような優れた効果が得られる。
【００６３】
（１）請求項１、２に記載の地下貯水施設によれば、一定地域の地下を、連通管を有する地下堰で複数の小区画に分割し、分割された小区画内の地中に空隙形成資材を充填し、地下堰に囲まれた前記小区画のうち、少なくとも一つの小区画に連通させて地下水槽またはマンホールを設置した構成のものであるので、従来の側溝などの集水施設を設けることなしに集水でき、且つ、大災害の時に、大量の水を供給することができる。
【００６４】
（２）請求項２に記載の地下貯水施設によれば、一定地域の地下を、第１の連通管を有する地下堰で複数の小区画に分割し、分割された小区画内の地中に空隙形成資材を充填し、地下堰に囲まれた前記小区画のうち、少なくとも一つの小区画に第２の連通管により連通させて地下水槽またはマンホールを設置し、前記第２の連通管に、隣接する小区画との水位の差を一定に保つ開閉制御装置を設けているので、従来の側溝などの集水施設を設ける必要なしに集水ができ、大災害の時に、大量の水を供給することができる。
【００６５】
また、第２の連通管に開閉制御装置を設けているので、傾斜地においても分散貯留することができる。従って、貯留水を低所のみならず高所の中空ブロックから取水することもできる。
【００６６】
また、この開閉制御装置は、隣接する小区画との水位の差を一定に保つ機能を有するので、傾斜地においても均等に貯えることができる。
【００６７】
（３）請求項３に記載の地下貯水施設によれば、隣接する小区画との水位の差を一定に保つ開閉制御装置を、前記第２の連通管の一端に取り付けたフレキシブルチューブと、そのフレキシブルチューブの先端付近に取付けられたフロートとで構成し、前記フレキシブルチューブの先端開口部を前記フロートより上方において開口させた構成であるので、水位差を一定にする制御を無動力で行うことができる。
【００６８】
（４）請求項４に記載の地下貯水施設によれば、地下構造物の上部や建築物の屋上に形成される人工地盤の下に設置されるので、地下貯水槽が流体ダンパーとして機能して制振作用をも発揮する。
【図面の簡単な説明】
【図１】本発明の地下貯水施設の第１の実施形態を示す図である。
【図２】第２の連通管の開閉制御装置を示す図である。
【図３】本発明の地下貯水施設の第２の実施形態を示す平面略図である。
【図４】本発明の地下貯水施設の第３の実施形態を示す図である。
【図５】本発明の地下貯水施設の第３の実施形態におけるマンホール部分を拡大して示した図である。
【図６】本発明の地下貯水施設の第４の実施形態を示す図である。
【図７】従来の地下貯水施設を示した図である。
【図８】従来の他の地下貯水施設を示した図である。
【符号の説明】
１  一定地域                        ２  小区画
３  マンホール                      ４  貯水槽
５  防水シート                      ６  透水シート
７  貯水                            ８  空気層
９  砂質系床土                    １０  地下堰
１１  （第１の）連通管
１２  貯留・浸透式中空ブロック（空隙形成資材）
１３  （第２の）連通管              １４  開閉バルブ
１５  フレキシブルチューブ          １５ａ  先端開口部
１６  フロート                      １７  開閉制御装置
１８  ポンプ                        ２０  傾斜面
２１  地被植物                      ２２  高木
２３  地中側溝                      ２４  天然繊維マット
２５  スプリンクラー                ２６  管路
２７  地下タンク                    ２８  ポンプ
２９  フィルタ                      ３０  配管
３１  バルブ                        ３２  液肥混合装置
３３  管路                          ３４  バルブ
３５  浄水装置                      ３６  バルブ
３７  （透水性もしくは揚水性の）舗装
３８  不織布                        ３９  舗装湿潤用水貯水槽
【図１】
0003593890.tif 000002
【図２】
0003593890.tif 000003
【図３】
0003593890.tif 000004
【図４】
0003593890.tif 000005
【図５】
0003593890.tif 000006
【図６】
0003593890.tif 000007
【図７】
0003593890.tif 000008
【図８】
0003593890.tif 000009